(57)【要約】【課題】水タンクの位置を設置性を損なうことがない調理器本体の下方に設け、水タンクの水位を容易に確認できるようにすること。【解決手段】加熱室２と、非加熱物を出し入れするための開閉扉３と、水タンク４と、タンク照射ランプ５とを備え、水タンク４の、タンク本体１１は、透明材料で成形されており、タンク照射ランプ５により光が照らされるため、タンク本体１１に貯蔵された水の水位１４がタンク４の前面より目視により容易に確認できる。【選択図】図１
2006153421.tif 000002
【特許請求の範囲】
【請求項１】
蒸気を生成するための水を貯蔵する水タンクを備え、加熱室内に少なくとも前記蒸気を供給して被加熱物を加熱処理する調理器であって、前記水タンクが、前記加熱室を有する調理器本体の下方に、前面に向けて着脱自在に組み付けられており、該水タンクの水量が視認可能に、少なくとも前面を透明材料で形成すると共に、前記水タンクをランプにより光照射する構成としたことを特徴とする蒸気発生機能付き調理器。
【請求項２】
ランプは、水タンクの後面より光照射するように構成されたことを特徴とする請求項１記載の蒸気発生機能付き調理器。
【請求項３】
水タンクの前面透明材料の一部表面を光が乱反射するような処理を施したことを特徴とする請求項１または２記載の蒸気発生機能付き調理器。
【請求項４】
水タンクの前面透明材料の内面に、光を集める突起部を設けたことを特徴とする請求項１または２記載の蒸気発生機能付き調理器。
【発明の詳細な説明】
【技術分野】
【０００１】
本発明は、少なくとも蒸気を利用して被加熱物を加熱調理する調理器に関するものである。
【背景技術】
【０００２】
従来の調理器の１例として、水タンクを調理器本体の側面に配置した高周波調理器が知られている（例えば、特許文献１参照）。
【０００３】
特許文献１に開示された高周波調理器は、水タンクを着脱可能に収容するタンク収納部を調理器本体の側壁内に設け、そのタンク収納部の外側壁に、内部の水タンクの水位を視認可能な窓を開放したものである。
【０００４】
また、加熱室の前面の開閉扉に設けた扉残水量確認窓から加熱室の側方に配置した水タンクの水位が覗け、調理器の前面より水タンクの水位が目視により簡単に確認できるものも提案されている。
【０００５】
しかし、上記従来の構成はいずれも水タンクを調理器本体の側面に配置しているため、水タンクを取り出す際のスペースを必要とするので調理器の側部を壁に寄せて設置することができず、設置性が悪い。
【０００６】
そこで新たに考えられたのが、図４に示すように、水タンクが調理器本体の下方に設置され前面に向けて着脱自在に組み付けられたものであり、この構成であれば、調理器を壁に寄せて設置しても水タンクの取り出しには支障がなく設置性を損なうことがない。
【特許文献１】特開２００４−０１１９９５号公報
【発明の開示】
【発明が解決しようとする課題】
【０００７】
しかしながら、前記従来の調理器では水タンクが調理器本体の下方に設置されており、低めの設置台に設置した際、水タンクの位置も低くなり水位が見にくいという課題を有している。また、薄暗い台所では更に見にくくなる。
【０００８】
また、加熱室の前面の開閉扉を開閉する際に、邪魔にならないように水タンクは開閉扉の前縁より少し後方奥に入り込んだ位置となるため、さらに水タンクの水位が見にくいという課題がある。
【０００９】
本発明は、前記従来の課題を解決するものであり、その目的は水タンクの位置を設置性を損なうことがない調理器本体の下方に設け、水タンクの水位を容易に確認できるようにしたことで、設置性、使い勝手の双方を向上させる蒸気発生機能付き調理器を提供することにある。
【課題を解決するための手段】
【００１０】
前記従来の課題を解決するために、本発明の蒸気発生機能付き調理器は、蒸気を生成するための水を貯蔵する水タンクを備え、加熱室内に少なくとも蒸気を供給して被加熱物を加熱処理する調理器であって、前記水タンクが、前記加熱室を有する調理器本体の下方に、前面に向けて着脱自在に組み付けられており、該水タンクの水量が視認可能に、少なくとも前面を透明材料で形成すると共に、前記水タンクをランプにより光照射する構成としたことを特徴としたものである。
【００１１】
これによって、調理器本体の下方に設けた水タンクをランプにより光照射することにより低い位置に設置された場合や、薄暗い場所でも、前面より水タンクの水位を目視で容易に確認することが出来る。
【発明の効果】
【００１２】
本発明の蒸気発生機能付き調理器によれば、水タンクの水位が判りにくい、設置性が悪い、使い勝手が悪いといった問題が解消でき、これにより、水タンクの水位が目視で容易に確認できる、設置性、使い勝手の向上を図ることができるという効果が得られる。
【発明を実施するための最良の形態】
【００１３】
第１の発明は、蒸気を生成するための水を貯蔵する水タンクを備え、加熱室内に少なくとも前記蒸気を供給して被加熱物を加熱処理する調理器であって、前記水タンクが、前記加熱室を有する調理器本体の下方に、前面に向けて着脱自在に組み付けられており、該水タンクの水量が視認可能に、少なくとも前面を透明材料で形成すると共に、前記水タンクをランプにより光照射する構成とすることにより、水タンクの水位を目視で容易に確認することができる。
【００１４】
第２の発明は、特に、第１の発明のランプを水タンクの後面より光照射するように構成することにより、タンクの水が導光板の役目を果たし、水位の高さまでは、タンク前面に光を導くことが可能となり水タンクの水位を前面より確実に確認することができる。また、後面にランプを設けることにより水タンクを前面に引き出す際、手の触れる場所の温度が高温にならないため、やけど等の事故を防ぐことが出来る。また、耐熱温度の高い材料を使わずに済むためコストダウンが可能となる。
【００１５】
第３の発明は、特に、第１または第２の発明の水タンクの前面透明材料の一部表面を光が乱反射するような処理を施したことにより、タンク内の水によって前面に導かれたランプの光は透明樹脂の表面に施された光が乱反射するような処理により、面全体を均等に光らせることが可能となり、水タンクの水位がより確実に確認することができる。また、光が乱反射するような処理を部分的に施すことにより面で光らせる場所を限定できるため意匠性を向上させることも可能となる。
【００１６】
第４の発明は、特に、第１または第２の発明の水タンクの前面透明材料の内面に、光を集める突起部を設けたことにより、水タンクの水位よりも高い位置に配置されている突起部は光を集め、また、水タンクの水位よりも低い位置に配置されている突起部は光を集めないことにより、水のある所と、ない所のコントラストがはっきりするため、より水位の確認が容易におこなえる。
【００１７】
以下、本発明の実施の形態について、図面を参照しながら説明する。なお、本実施の形態によって本発明が限定されるものではない。
【００１８】
（実施の形態１）
図１は、本発明の実施の形態１における蒸気発生機能付き調理器の側方要部断面図、図２は図１に示す水タンクとタンク照射ランプの組みつけ状態の断面図を示すものである。
【００１９】
図１において、本発明の第１実施形態である調理器本体１０は、加熱室２と、非加熱物を出し入れするための開閉扉３と、水タンク４と、タンク照射ランプ５と、から構成されており、水タンク４が調理器本体１０の前面に、前後に着脱自在に組みつけられている。
【００２０】
図２において、水タンク４は、タンク本体１１と、フタ１２と、から構成されている。タンク本体１１は、例えば透明または半透明の樹脂を素材として成形されており、タンク照射ランプ５は、タンク本体１１の内部に光を照らすように設置されている。
【００２１】
以上のように構成した蒸気発生機能付き調理器について、以下その動作、作用を説明する。
【００２２】
まず、水タンク４は、タンク本体１１に、水を貯蔵した後、フタ１２により、密閉され調理器本体１０の前面から水タンク収納部６に収められることにより、調理器本体１０の下方に設置される。タンク本体１１は、透明材料で成形されており、タンク照射ランプ５により光が照らされるため、タンク本体１１に貯蔵された水の水位１４がタンク４の前面より目視により容易に確認できる。
【００２３】
また、本実施の形態ではタンク照射ランプ５をタンク本体１１の後方に設置することにより、タンク照射ランプ５の光がタンク本体１１に貯蔵された水が導光板の役目を果たし、タンク本体１１の前面に導かれ、より水位１４の確認が容易におこなえる。
【００２４】
（実施の形態２）
図３は、本発明の実施の形態２の水タンクの断面図である。なお、実施の形態１と同一または同等部分については、説明を省略あるいは簡略化する。
【００２５】
図３においてタンク本体１１は、透明または半透明の材料で成形されており、タンク本体１１の前面壁１１ａの表面は、微細なでこぼこのあるシボ加工１３が施されている。
また、タンク照射ランプ５がタンク本体１１の後面に設置されており、タンク本体１１に貯蔵されている水を後面より光が照らす構成となっている。
【００２６】
図３に示すように、タンク照射ランプ５の光は、タンク本体１１に貯蔵されている水が導光板の役目を果たし、水位１４の高さまで、タンクの前壁面１１ａまで光が導かれている。このとき、タンクの前壁面１１ａの表面にはシボ加工１３が施されており、導かれた光は、このシボ加工１３により、乱反射を起こし、面全体が光っているように見える。
【００２７】
このような効果により、水のある所と、ない所のコントラストがはっきりするため、より水位１４の確認が容易におこなえる。
【００２８】
（実施の形態３）
図５は、本発明の実施の形態３の水タンクの断面図である。なお、実施の形態１と同一または同等部分については、説明を省略あるいは簡略化する。
【００２９】
図５においてタンク本体１１は、透明または半透明の材料で成形されており、タンク本体１１の前面壁１１ａの内面には、光を集める突起部１５を設けている。また、タンク照射ランプ５がタンク本体１１の後面に設置されており、タンク本体１１に貯蔵されている水を後面より光が照らす構成となっている。図５に示すように、水タンクの水位よりも高い位置に配置されている突起部１５は光を集めるプリズムの役割を果たし、また、水タンクの水位よりも低い位置に配置されている突起部１５は水を介在するため光を集めないことにより、水のある所と、ない所のコントラストがはっきりするため、より水位の確認が容易におこなえる。
【産業上の利用可能性】
【００３０】
以上のように、本発明にかかる蒸気発生機能付き調理器は、使い勝手や設置場所の制約を受けることなく、水タンクの水位が目視で容易に確認が可能となるので、高周波と蒸気を使って被加熱物を加熱調理する高周波調理器等への応用・横展開が可能となる。
【図面の簡単な説明】
【００３１】
【図１】本発明の実施の形態１における蒸気発生機能付き調理器の側方要部断面図
【図２】図１に示す水タンクとタンク照射ランプの組みつけ状態の断面図
【図３】本発明の実施の形態２の水タンクの断面図
【図４】従来の蒸気発生機能付き調理器の側方要部断面図
【図５】本発明の実施の形態３の水タンクの断面図
【符号の説明】
【００３２】
２  加熱室
４  水タンク
５  タンク照射ランプ（ランプ）
１０  調理器本体
【図１】
2006153421.tif 000003
【図２】
2006153421.tif 000004
【図３】
2006153421.tif 000005
【図４】
2006153421.tif 000006
【図５】
2006153421.tif 000007